(57)【要約】【課題】靴内において足の滑りを抑制する。【解決手段】靴１００は、靴の上面を構成する靴上面部１１０と、靴の下面を構成する靴下面部１２０と、突起部１３１および１３２とを備える。突起部１３１および１３２は、凸形状をしており、足２００に靴１００を装着させた際の靴内部１４１における隣接する足指の間（親指と人差し指との間、薬指と小指との間）の付け根に相当する位置から靴内部１４１の先端部１４２に向かい足指の間の形状に沿って連なっている。また、突起部１３１および１３２は、靴内部１４１の底面部、または上面部に設けられる。足２００に靴１００を装着させた場合、突起部１３１は親指と人差し指とにより挟まれる。同様に、足２００に靴１００を装着させた場合、突起部１３２は薬指と小指とにより挟まれる。【選択図】      図１
0003137039.tif 000002
【実用新案登録請求の範囲】
【請求項１】
足に靴を装着させた際の前記靴の内部における隣接する足指の間の付け根に相当する位置から前記靴の内部の先端部に向かい前記足指の間の形状に沿って連なる凸形状の突起部を前記靴の内部に少なくとも１つ設けたことを特徴とする靴。
【請求項２】
前記突起部は、前記足に前記靴を装着させた際の前記靴の内部における前記足の親指と人差し指との間の付け根に相当する位置から前記靴の内部の先端部に向かい前記足の親指と人差し指との間の形状に沿って連なる凸形状であり、かつ前記靴の内部の底面部または上面部に１つ設けられたことを特徴とする請求項１記載の靴。
【請求項３】
靴の中に敷く靴の中敷であって、
前記靴の内部に敷いた際に足を直に載せる部材である足載せ部と、
前記足載せ部に前記足を載せた際の前記足載せ部における隣接する足指の間の付け根に相当する位置から前記足載せ部の先端部に向かい前記足指の間の形状に沿って連なる少なくとも１つの凸形状の突起部と
を具備することを特徴とする靴の中敷。
【請求項４】
足指よりも上の足部分を覆う靴下部と、
前記靴下部により前記足指よりも上の足部分を覆った際の前記靴下部における隣接する前記足指の間の付け根に相当する位置から少なくとも前記足指の先端部に相当する位置まで前記足指の間の形状に沿って連なる少なくとも１つの凸形状の突起部と
を具備することを特徴とする靴下。
【請求項５】
足指よりも上の足部分を覆う靴下部と、
前記靴下部の底面部の所定の位置に設けられた滑り止め部と、
前記靴下部により前記足指よりも上の足部分を覆った際の前記靴下部における隣接する前記足指の間の付け根に相当する位置から前記足指の先端部に向かい前記足指の間の形状に沿って連なる少なくとも１つの凸形状の突起部と
を具備することを特徴とする靴下。
【考案の詳細な説明】
【技術分野】
【０００１】
本考案は、靴、靴の中敷および靴下に関し、特に足の指にかかる負担を軽減する靴、靴の中敷および靴下に関する。
【背景技術】
【０００２】
従来の靴は、足の指に多大な負担をかけていた。これについて以下、図５を用いて説明する。図５は、足８００に従来の靴７００を装着させた様子を示す図である。足８００に靴７００を装着させて歩行して着地した瞬間、足８００は矢印Ｂ方向に滑って移動する。足８００が矢印Ｂ方向に滑って移動すると、足８００の指は、靴７００の先端部７１０に衝突する。足８００の指が靴７００の先端部７１０に衝突すると、足８００の指に多大な負担がかかる。従来の靴７００を足８００に装着させて歩行した場合、以上のようなことが常時起きていた。
【０００３】
このような問題点を解決するものとして、従来以下に説明するはきもの用品の中底が提案されていた（例えば、特許文献１参照。）。そのはきもの用品の中底は、非吸収性にして熱的に非伝導性の熱可塑性材料から成る開口付き上層と、開口付き上層にちょう付された、不織材料から成る、壁部分の相対的な動きの抑制に有効な安定化層と、はきものの底へ載るようにされた緩衝層と、緩衝層の漏出防止に有効な、不浸透性材料から成る障壁層とを主要構成要素とし、上記それぞれの層を適切に結合させてはきもの用品の中底としたものであった。このはきもの用品の中底を備えた靴によれば、はきもの用品の内部での足とソックスとの動きを制御することができるため、足の指を靴の先端部に衝突させるような機会を少なくすることができる。
【特許文献１】特開平０６−１９７８０３
【考案の開示】
【考案が解決しようとする課題】
【０００４】
しかしながら、上記はきもの用品の中底を備えた靴を足に装着させても、例えば歩行ではなく、走行している場合、はきもの用品の中底を備えた靴が着地した瞬間は足に大きな滑力が働き、足の指が靴の先端部と激しく衝突するおそれがある。歩行時だけでなく走行時にも足の指にかかる負担を軽減することのできる靴が望まれる。
【０００５】
そこで、本考案は、靴内において足の滑りを抑制する靴、靴の中敷および靴下を提供することを目的とする。
【課題を解決するための手段】
【０００６】
上記課題を解決するため、本考案の靴は、足に靴を装着させた際の上記靴の内部における隣接する足指の間の付け根に相当する位置から上記靴の内部の先端部に向かい上記足指の間の形状に沿って連なる凸形状の突起部を上記靴の内部に少なくとも１つ設けたことを特徴とするものである。これにより、靴内において足の滑りを抑制させるという作用をもたらす。
【０００７】
また、本考案の靴において、上記突起部は、上記足に上記靴を装着させた際の上記靴の内部における上記足の親指と人差し指との間の付け根に相当する位置から上記靴の内部の先端部に向かい上記足の親指と人差し指との間の形状に沿って連なる凸形状であり、かつ上記靴の内部の底面部または上面部に１つ設けられたことを特徴とする。これにより、靴内において足の滑りを抑制させるという作用を簡易な構造により実現することができる。
【０００８】
また、本考案の靴の中敷は、靴の中に敷く靴の中敷であって、上記靴の内部に敷いた際に足を直に載せる部材である足載せ部と、上記足載せ部に上記足を載せた際の上記足載せ部における隣接する足指の間の付け根に相当する位置から上記足載せ部の先端部に向かい上記足指の間の形状に沿って連なる少なくとも１つの凸形状の突起部とを具備することを特徴とするものである。これにより、靴内において足の滑りを抑制させるという作用をもたらす。
【０００９】
また、本考案の靴下は、足指よりも上の足部分を覆う靴下部と、上記靴下部により上記足指よりも上の足部分を覆った際の上記靴下部における隣接する上記足指の間の付け根に相当する位置から少なくとも上記足指の先端部に相当する位置まで上記足指の間の形状に沿って連なる少なくとも１つの凸形状の突起部とを具備することを特徴とするものである。これにより、靴内において足の滑りを抑制させるという作用をもたらす。
【００１０】
また、本考案の靴下は、足指よりも上の足部分を覆う靴下部と、上記靴下部の底面部の所定の位置に設けられた滑り止め部と、上記靴下部により上記足指よりも上の足部分を覆った際の上記靴下部における隣接する上記足指の間の付け根に相当する位置から上記足指の先端部に向かい上記足指の間の形状に沿って連なる少なくとも１つの凸形状の突起部とを具備することを特徴とするものである。これにより、靴内において足の滑りを抑制させるという作用をもたらす。
【考案の効果】
【００１１】
本考案によれば、靴内において足の滑りを抑制することができるという優れた効果を奏し得る。
【考案を実施するための最良の形態】
【００１２】
次に本考案の実施の形態について図面を参照して詳細に説明する。
【００１３】
図１は、本考案の実施の形態における靴１００を示す図である。靴１００は、図１（ａ）に示すように靴の上面を構成する靴上面部１１０と、靴の下面を構成する靴下面部１２０と、突起部１３１および１３２とを備える。
【００１４】
靴上面部１１０は、上記説明したように靴の上面を構成しており、足の表面を覆っている。図１（ａ）において靴上面部１１０は、紐により足の表面を締め付ける度合いを調整するようになっているが、これに限るものではない。
【００１５】
突起部１３１および１３２は、凸形状をしており、足２００に靴１００を装着させた際の靴内部１４１における隣接する足指の間の付け根に相当する位置から靴内部１４１の先端部１４２に向かい足指の間の形状に沿って連なっている。また、足指の間の付け根に相当する位置に位置する突起部１３１および１３２の形状は、足指の間の付け根に適合するような湾曲状の形状とすることが好ましい。
【００１６】
具体的に言うと、突起部１３１は、図１（ｂ）に示すように足２００に靴１００を装着させた場合その一端が親指と人差し指との間の付け根に位置し、他端が靴内部１４１の先端部１４２と接している。そして、親指と人差し指との間の付け根に相当する位置に位置する突起部１３１の形状は、親指と人差し指との間の付け根に適合するような湾曲状の形状となっている。
【００１７】
同様に突起部１３２は、図１（ｂ）に示すように足２００に靴１００を装着させた場合その一端が薬指と小指との間の付け根に位置し、他端が靴内部１４１の先端部１４２と接している。そして、薬指と小指との間の付け根に相当する位置に位置する突起部１３２の形状は、薬指と小指との間の付け根に適合するような湾曲状の形状となっている。
【００１８】
なお、図１において突起部１３１および１３２の他端は、靴内部１４１の先端部１４２と接しないようにしてもよい。すなわち、図１（ｂ）に示す突起部１３１および１３２の長さをさらに短くしてもよい。
【００１９】
そして、足２００に靴１００を装着させた場合、突起部１３１は親指と人差し指とにより挟まれる。同様に、足２００に靴１００を装着させた場合、突起部１３２は薬指と小指とにより挟まれる。
【００２０】
なお、図１において突起部として突起部１３１および１３２の２つの突起部が設けられているが、これに限るものではない。その他の突起部として、足２００に靴１００を装着させた場合、一端が人差し指と中指との間の付け根に位置し、他端が靴内部１４１の先端部１４２と接している突起部や、足２００に靴１００を装着させた場合、一端が中指と薬指との間の付け根に位置し、他端が靴内部１４１の先端部１４２と接している突起部が想定される。
【００２１】
なお、上記突起部の他端においても、突起部１３１および１３２の場合と同様に靴内部１４１の先端部１４２と接しないようにしてもよい。すなわち、突起部の長さをさらに短くしてもよい。また、人差し指と中指との間の付け根に相当する位置に位置する突起部の形状および中指と薬指との間の付け根に相当する位置に位置する突起部の形状は、それぞれ人差し指と中指との間の付け根に適合するような湾曲状の形状および中指と薬指との間の付け根に適合するような湾曲状の形状とすることが好ましい。上記説明した４つの突起部のいずれを靴内部１４１に設けるかは、設計事項である。
【００２２】
また、突起部１３１および１３２は、靴内部１４１の底面部、すなわち靴下面部１２０の上面部に設けられているが、これに限るものではない。すなわち、突起部１３１および１３２は、靴内部１４１の上面部、すなわち靴上面部１１０の内側表面に設けてもよいし、その他の位置に設けられていてもよい。
【００２３】
図２は、本考案の実施の形態における靴１００を足２００に装着させた様子を示す図である。図２を用いて突起部１３１および１３２の機能について以下、説明する。靴１００を足２００に装着させた状態で歩行または走行すると、靴１００が着地した瞬間に、足２００は靴内部１４１の底面部上を矢印Ａ方向に滑って移動しようとする。足２００が靴内部１４１の底面部上を矢印Ａ方向に滑って移動しようとするのを阻止するのが、突起部１３１および１３２である。
【００２４】
突起部１３１の一端は、上記説明したように親指と人差し指との間の付け根２１１に相当する位置に位置し、突起部１３２の一端は、上記説明したように薬指と小指との間の付け根２１２に相当する位置に位置している。
【００２５】
足２００が靴内部１４１の底面部上を矢印Ａ方向に滑って移動しようとすると、突起部１３１が足２００の親指と人差し指との間の付け根２１１と接触して足２００が矢印Ａ方向に滑って移動しようとするのを阻止する。突起部１３２においても同様に足２００が靴内部１４１の底面部上を矢印Ａ方向に滑って移動しようとすると、突起部１３２が足２００の薬指と小指との間の付け根２１２と接触して足２００が矢印Ａ方向に滑って移動しようとするのを阻止する。
【００２６】
すなわち、突起部１３１および１３２は、足２００が矢印Ａ方向に滑って移動しようとするのを阻止するストッパーとしての役割を果たしていると言える。図２において突起部１３１および１３２の他端は靴内部１４１の先端部１４２に位置しているが、突起部１３１および１３２に上記のようなストッパーとしての役割を果たさせるには、突起部１３１および１３２の他端は必ずしも靴内部１４１の先端部１４２に位置している必要はない。したがって、突起部１３１および１３２の他端が靴内部１４１の先端部１４２よりも手前に位置するような場合も本考案の範囲に含まれる。また、隣接する足指の間において親指と人差し指との間の付け根が外からの力に対して一番耐えられると考えられるため、突起部１３１のみの構成でもよい。
【００２７】
また、図２において突起部１３１および１３２は靴内部１４１の底面部に固定された状態にあるが、突起部１３１および１３２に上記のようなストッパーとしての役割を果たさせるには、突起部１３１および１３２を靴内部１４１の上面部に固定した状態にしてもよいし、その他の位置に固定した状態でもよい。
【００２８】
図３は、本考案の別の実施の形態における靴の中敷３００を示す図である。靴の中敷３００は、足載せ部３１０と、突起部３２１および３２２とを備える。足載せ部３１０は、足を直に載せる部材であり、靴４００の内部の底面部４１０に敷いて用いる。足載せ部３１０の形状は靴４００の内部の底面部４１０とほぼ同じ形状である。
【００２９】
突起部３２１および３２２は、凸形状をしており、足載せ部３１０に足を載せた際の足載せ部３１０における隣接する足指の間の付け根に相当する位置から足載せ部３１０の先端部３１１に向かい足指の間の形状に沿って連なっている。また、足指の間の付け根に相当する位置に位置する突起部３２１および３２２の形状は、足指の間の付け根に適合するような湾曲状の形状とすることが好ましい。
【００３０】
具体的に言うと突起部３２１は、図３に示すように足載せ部３１０に足を載せた際にその一端が親指と人差し指との間の付け根に相当する位置に位置し、他端が足載せ部３１０の先端部３１１に位置している。そして、親指と人差し指との間の付け根に相当する位置に位置する突起部１３１の形状は、親指と人差し指との間の付け根に適合するような湾曲状の形状となっている。
【００３１】
同様に突起部３２２は、足載せ部３１０に足を載せた際にその一端が薬指と小指との間の付け根に相当する位置に位置し、他端が足載せ部３１０の先端部３１１に位置している。そして、薬指と小指との間の付け根に相当する位置に位置する突起部１３１の形状は、薬指と小指との間の付け根に適合するような湾曲状の形状となっている。
【００３２】
なお、図３において突起部３２１および３２２の他端は、足載せ部３１０の先端部３１１と接しないようにしてもよい。すなわち、図３に示す突起部３２１および３２２の長さをさらに短くしてもよい。
【００３３】
そして、靴の中敷３００を靴４００の内部の底面部４１０に敷いた場合、図１において説明した靴１００と同様の構造になる。すなわち、靴の中敷３００を既存の靴の内部に敷けば、図１において説明した靴１００と同様の靴の構造にすることができる。
【００３４】
なお、図３において突起部として突起部３２１および３２２の２つの突起部が設けられているが、これに限るものではない。その他の突起部として、足載せ部３１０に足を載せた際に一端が人差し指と中指との間の付け根に相当する位置に位置し、他端が足載せ部３１０の先端部３１１に位置している突起部や、足載せ部３１０に足を載せた際に一端が中指と薬指との間の付け根に相当する位置に位置し、他端が足載せ部３１０の先端部３１１に位置している突起部が想定される。
【００３５】
なお、上記突起部の他端は、突起部３２１および３２２の場合と同様に足載せ部３１０の先端部３１１と接しないようにしてもよい。すなわち、突起部の長さをさらに短くしてもよい。また、人差し指と中指との間の付け根に相当する位置に位置する突起部の形状および中指と薬指との間の付け根に相当する位置に位置する突起部の形状は、それぞれ人差し指と中指との間の付け根に適合するような湾曲状の形状および中指と薬指との間の付け根に適合するような湾曲状の形状とすることが好ましい。上記説明した４つの突起部のいずれを足載せ部３１０に設けるかは、設計事項である。
【００３６】
図４は、本考案の別の実施の形態における靴下５００および６００を示す図である。図４（ａ）は、本考案の別の実施の形態における靴下５００を示す図である。靴下５００は、足の指よりも上の足部分を覆う靴下部５１０と、突起部５２１および５２２とを備える。  靴下部５１０には、５本の足の指それぞれを挿入させる指挿入部５１０ａ乃至５１０ｅが設けられている。
【００３７】
突起部５２１および５２２は、凸形状をしており、靴下部５１０により足の指よりも上の足部分を覆った際の靴下部５１０における隣接する足指の間の付け根に相当する位置から靴下部５１０の先端部５１１に向かい足指の間の形状に沿って連なっている。なお、突起部５２１および５２２の他端は、靴下部５１０の先端部５１１よりも前方に突き出していてもよい。また、足指の間の付け根に相当する位置に位置する突起部５２１および５２２の形状は、足指の間の付け根に適合するような湾曲状の形状とすることが好ましい。
【００３８】
具体的に言うと突起部５２１は、その一端が靴下部５１０により足の指よりも上の足部分を覆った際の親指と人差し指との間の付け根に相当する位置に位置し、他端が靴下部５１０の先端部５１１に位置している。そして、親指と人差し指との間の付け根に相当する位置に位置する突起部５２１の形状は、親指と人差し指との間の付け根に適合するような湾曲状の形状となっている。
【００３９】
同様に突起部５２２は、その一端が靴下部５１０により足の指よりも上の足部分を覆った際の薬指と小指との間の付け根に相当する位置に位置し、他端が靴下部５１０の先端部５１１に位置している。そして、薬指と小指との間の付け根に相当する位置に位置する突起部１３２の形状は、薬指と小指との間の付け根に適合するような湾曲状の形状となっている。なお、突起部５２１および５２２の他端は、少なくとも靴下部５１０の先端部５１１に位置している必要があるが、靴下部５１０の先端部５１１よりも前方に突き出していてもよい。
【００４０】
靴下５００を穿いて既存の靴を履いた場合、図１において説明した靴１００と同様の構造になる。なお、靴下部５１０の足裏の所定の位置に滑り止めを設けるにより、突起部５２１および５２２の他端の位置が、靴下部５１０の先端部５１１より手前に位置するようにしても突起部５２１および５２２にストッパーとしての役割を果たさせることができる。滑り止め態様として、靴下部５１０の足裏に相当する所定の位置、例えば靴下部５１０の足指付近にシリコンを塗布した態様が想定されるが、これに限るものではなく、その他の滑り止め態様も本考案に含まれる。
【００４１】
また、図４（ａ）において突起部として突起部５２１および５２２の２つの突起部が設けられているが、これに限るものではない。その他の突起部として、一端が靴下部５１０により足の指よりも上の足部分を覆った際の人差し指と中指との間の付け根に相当する位置に位置し、他端が靴下部５１０の先端部５１１に位置している突起部や、一端が靴下部５１０により足の指よりも上の足部分を覆った際の中指と薬指との間の付け根に相当する位置に位置し、他端が靴下部５１０の先端部５１１に位置している突起部が想定される。これらの突起部の他端も突起部５２１および５２２の他端と同様に、少なくとも靴下部５１０の先端部５１１に位置している必要があるが、靴下部５１０の先端部５１１よりも前方に突き出していてもよい。
【００４２】
また、人差し指と中指との間の付け根に相当する位置に位置する突起部の形状および中指と薬指との間の付け根に相当する位置に位置する突起部の形状は、それぞれ人差し指と中指との間の付け根に適合するような湾曲状の形状および中指と薬指との間の付け根に適合するような湾曲状の形状とすることが好ましい。上記説明した４つの突起部のいずれを靴下部５１０に設けるかは、設計事項である。
【００４３】
なお、上記突起部の他端は、靴下部５１０の足裏の所定の位置に滑り止めを設けることにより、突起部５２１および５２２の場合と同様に靴下部５１０の先端部５１１より手前に位置するようにすることができる。すなわち、突起部の長さをさらに短くすることができる。上記説明した４つの突起部のいずれを靴下部５１０に設けるかは、設計事項である。
【００４４】
図４（ｂ）は、本考案の別の実施の形態における靴下６００を示す図である。なお、靴下６００において靴下５００と同様の機能を有するものについては同様の名称を用いるものとする。靴下６００は、足の指よりも上の足部分を覆う靴下部６１０と、突起部６２１および６２２とを備える。
【００４５】
靴下６００における突起部６２１および６２２と靴下５００における突起部５２１および５２２は同様の機能を有するものであり、靴下５００における突起部５２１および５２２は上記で説明済みであるため、靴下６００における突起部６２１および６２２の説明を省略する。
【００４６】
靴下６００と靴下５００とは足の指よりも上の足部分を覆うという機能部分では同様であるが、靴下部６１０と５１０との形状は相違する。すなわち、靴下５００は、靴下部５１０の先端部に５本の足の指それぞれを挿入させる指挿入部５１０ａ乃至５１０ｅが設けられているのに対し、靴下６００の靴下部６１０には５本の足の指それぞれを挿入させる指挿入部が設けられていない。なお、以上挙げた靴下部５１０および６１０の形状以外の形状の靴下部も本考案の範囲内に含まれる。
【００４７】
このように、本考案の実施の形態における靴１００によれば、足２００に靴１００を装着させて歩行または走行する場合に、突起部１３１および１３２の機能により足２００の指が靴１００の先端部１４２に衝突することを阻止することができるため、歩行または走行の際に足の指にかかる負担を軽減することができる。また、本考案の別の実施の形態における靴の中敷３００、靴下５００および６００も既存の靴と一緒に使用した場合、上記靴１００と同様の効果を奏することができる。
【００４８】
なお、以上説明した本考案の実施の形態は本考案を具現化するための一例を示したものであり、これに限定されるものではなく本考案の要旨を逸脱しない範囲において種々の変形を施すことができる。
【産業上の利用可能性】
【００４９】
本考案の活用例として、通勤に用いられるビジネスシューズのみならず、全ての靴にも適用することができる。
【図面の簡単な説明】
【００５０】
【図１】本考案の実施の形態における靴１００を示す図である。
【図２】本考案の実施の形態における靴１００を足２００に装着させた様子を示す図である。
【図３】本考案の別の実施の形態における靴の中敷３００を示す図である。
【図４】本考案の別の実施の形態における靴下５００および６００を示す図である。
【図５】足８００に従来の靴７００を装着させた様子を示す図である。
【符号の説明】
【００５１】
１００  靴
１１０  靴上面部
１２０  靴下面部
１３１、１３２、３２１、３２２、５２１、５２２、６２１、６２２  突起部
１４１  靴内部
１４２、３１１、５１１  先端部
３００  靴の中敷
３１０  足載せ部
５００、６００  靴下
５１０、６１０  靴下部
【図１】
0003137039.tif 000003
【図２】
0003137039.tif 000004
【図３】
0003137039.tif 000005
【図４】
0003137039.tif 000006
【図５】
0003137039.tif 000007